(57)【要約】【課題】従来技術における不利な点が除去された、できるだけ汎用の装置を特定すること。【解決手段】第１中央演算処理装置ＣＰＵ１（１）と、ＣＰＵ１（１）と情報をやり取りし且つ多層オペレーティングシステム（Ｓ１，Ｓ２，Ｓ３）を含む第１メモリユニット（３）と、複数の送受信機を含むネットワークと無線データ交換を行う送受信機（２）とを備えるデータ送信モジュールに関する。送受信機（２）は、ネットワークにおいてユーザを識別するための識別データを要求する所定のデータ送信プロトコルを含み、そのデータは第２メモリユニット（５）に偽造が防止される方法で記憶されている。モジュールは、周辺装置との接続のための差込接続を確立するのに適した第１インタフェース（６）を備える。【選択図】図１
2008524945.tif 000002
【特許請求の範囲】
【請求項１】
データ送信モジュールであって、
第１中央演算処理装置ＣＰＵ１（１）と、
多層オペレーティングシステム（Ｓ１，Ｓ２，Ｓ３）を含み、前記ＣＰＵ１（１）と共に機能する第１メモリユニット（３）と、
複数の送受信ユニットを備えるネットワークと無線データ交換をするための送受信ユニット（２）とを備え、
前記送受信ユニット（２）は、前記ネットワークにおけるユーザの識別のために第２メモリユニット（５）に偽造を防止するように記憶された識別子を要求する特定のデータ送信プロトコルを含み、
さらに、周辺装置への接続のための差込接続の確立に適した第１インタフェース（６）を備える、データ送信モジュール。
【請求項２】
前記第２メモリユニット（５）を含むことを特徴とする、請求項１に記載のモジュール。
【請求項３】
前記第２メモリユニット（５）の接続のために、第２インタフェース（９）が設けられていることを特徴とする、請求項１又は２に記載のモジュール。
【請求項４】
前記第２メモリユニット（５）は、前記第２インタフェース（９）に対応する第３インタフェースを有するＳＩＭカード（７）の一部であることを特徴とする、請求項１乃至３いずれかに記載のモジュール。
【請求項５】
前記第２インタフェース（９）は、前記ＳＩＭカード（７）を保持するための第１保持装置（８）に設けられていることを特徴とする、請求項１乃至４いずれかに記載のモジュール。
【請求項６】
前記第１保持装置（９）は、前記ＳＩＭカード（７）を保持する手段（１１）を有することを特徴とする、請求項１乃至５いずれかに記載のモジュール。
【請求項７】
前記多層オペレーティングシステムは、前記第１インタフェースに接続される周辺装置との接続を確立するための少なくとも１つのドライバプログラムを有する１つの層を備えることを特徴とする、請求項１乃至６いずれかに記載のモジュール。
【請求項８】
前記多層オペレーティングシステムは、少なくとも１つのアプリケーションプログラムを有するもう一つの層を備えることを特徴とする、請求項１乃至７いずれかに記載のモジュール。
【請求項９】
複数のアプリケーションプログラムからアプリケーションプログラムの選択をするためのメニューナビゲーションが設けられていることを特徴とする、請求項１乃至８いずれかに記載のモジュール。
【請求項１０】
前記データ送信プロトコルは、以下のグループ：ＵＭＴＳ，ＧＳＭ，Ｂｌｕｅｔｏｏｔｈ，Ｗ−ＬＡＮ，ＩＲ，ＡＭＰＳ，ＮＭＴ，ＨＳＣＳＤ，ＧＰＲＳ，ＥＤＧＥから選択された標準プロトコルに対応することを特徴とする、請求項１乃至９いずれかに記載のモジュール。
【請求項１１】
前記第１メモリユニット（３）を取り外し可能に取り付けるための第１取り付け装置が設けられていることを特徴とする、請求項１乃至１０いずれかに記載のモジュール。
【請求項１２】
前記送受信ユニット（２）を取り外し可能に取り付けるための第２取り付け装置が設けられていることを特徴とする、請求項１乃至１１いずれかに記載のモジュール。
【請求項１３】
前記送受信ユニット（２）は、第２中央演算処理装置ＣＰＵ２を備えることを特徴とする、請求項１乃至１２いずれかに記載のモジュール。
【請求項１４】
前記ＣＰＵ１（１）、第１メモリユニット（３）、必要ならば第２メモリユニット（５）、及び送受信ユニット（２）がポリマーで成型されていることを特徴とする、請求項１乃至１３いずれかに記載のモジュール。
【請求項１５】
幅の最大値が６ｃｍ、高さの最大値が１ｃｍである直平行６面体の形に形成されていることを特徴とする、請求項１乃至１４いずれかに記載のモジュール。
【請求項１６】
前記モジュールは、少なくとも外側部分に電磁波を遮断するためのコーティングが施されていることを特徴とする、請求項１乃至１５いずれかに記載のモジュール。
【請求項１７】
一体に成形されていることを特徴とする、請求項１乃至１６いずれかに記載のモジュール。
【請求項１８】
電源装置が設けられていることを特徴とする、請求項１乃至１７いずれかに記載のモジュール。
【請求項１９】
電源装置が、バッテリ又は再充電可能なバッテリを備えていることを特徴とする、請求項１乃至１８いずれかに記載のモジュール。
【請求項２０】
アンテナが設けられていることを特徴とする、請求項１乃至１９いずれかに記載のモジュール。
【請求項２１】
前記第１インタフェース（６）がプラグコネクタ（２６）の形に成形されていることを特徴とする、請求項１乃至２０いずれかに記載のモジュール。
【請求項２２】
請求項１乃至２１いずれかに記載のモジュールとの差込接続を確立するための第１インタフェース（６）に対応する第４インタフェースを備えた周辺装置。
【請求項２３】
前記モジュールを保持するための第２保持装置（２１）に第４インタフェースが設けられていることを特徴とする、請求項２２に記載の周辺装置。
【請求項２４】
前記第２保持装置（２１）が、前記プラグコネクタ（２６）に対応して形成されていることを特徴とする、請求項２３に記載の周辺装置。
【請求項２５】
前記第２保持装置（２１）が、前記モジュールを保持する手段を有することを特徴とする、請求項２３又は２４に記載の周辺装置。
【請求項２６】
さらに電源装置を有することを特徴とする、請求項２２乃至２５いずれかに記載の周辺装置。
【請求項２７】
前記電源装置は、バッテリ又は再充電可能なバッテリを備えていることを特徴とする、請求項２６に記載の周辺装置。
【請求項２８】
さらにアンテナを有することを特徴とする、請求項２２乃至２７いずれかに記載の周辺装置。
【請求項２９】
ハウジング（１６）を有することを特徴とする、請求項２２乃至２８いずれかに記載の周辺装置。
【請求項３０】
前記ハウジング（１６）に好ましくはスイベルディスプレイ（１７）及び／又はユーザインタフェース（１８）が設けられていることを特徴とする、請求項２９に記載の周辺装置。
【請求項３１】
前記ハウジング（１６）が、携帯電話のように形成されていることを特徴とする、請求項２９又は３０に記載の周辺装置。
【請求項３２】
前記周辺装置は、コンピュータ又はモニタであることを特徴とする、請求項２２乃至３１いずれかに記載の周辺装置。
【請求項３３】
前記第１インタフェース（６）に対応する第４インタフェースと、請求項１乃至２１いずれかに記載のモジュールを第８インタフェースに接続するためのプラグコネクタとして形成された第７インタフェース（２６）とを備え、前記第８インタフェースは、周辺装置（１６，１８）の第７インタフェース（２６）に対応している、アダプタ。
【請求項３４】
前記第８インタフェースは、ＰＣＭＣＩＡ又はＵＳＢインタフェースであることを特徴とする、請求項３３に記載のアダプタ。
【発明の詳細な説明】
【技術分野】
【０００１】
本発明は、データ送信モジュール及びそのモジュールを保持するための周辺装置に関する。
【背景技術】
【０００２】
従来技術においては、周辺装置、特にパーソナルコンピュータと共に使用するための複数の種々のカード又はモジュールが知られている。そのようなモジュールは、プラグコネクタのように形成されたインタフェースを有しており、周辺装置に設けられた対応するインタフェースに差込接続することで互いにデータ交換をすることができる。
【０００３】
そのようなモジュールは、周辺装置に対していくつかの追加機能を提供する。例えば、ＧＰＳモジュールは、衛星データの送受信と地球表面上の位置決定を可能にする。ＧＳＭ又はＵＭＴＳモジュールは、無線データ送信、特に電気通信網、インターネット等との通信を可能にする。そのようなモジュールは、周辺装置のハードウェアの拡張を意味するだけである。言い換えれば、モジュールは、周辺装置なしに単独では機能することができない。ドライバプログラムは、周辺装置との機能的カップリングを行うために必要である。そのようなモジュールの電源は、周辺装置によって提供される。
【０００４】
さらに、従来技術において、携帯電話、ＰＤＡ、ＭＰ３プレーヤ等が知られている。これらは、個人データを記憶することができるデータ処理ユニットである。例えば、そのようなデータは、ＩＲインタフェース、ブルートゥース、又はケーブル接続を介してパーソナルコンピュータへ送信されることができる。上記各装置は、通常、電源を備えており、必要であれば、パーソナルコンピュータへの接続なしに単独で操作されることができる。
【０００５】
例えば、もし、住所、電話番号等の個人データが携帯電話又はＰＤＡに記憶されれば、データ同期化の問題が現実に起きる。言い換えれば、新たに入力され、一の装置上で変換されたデータは、他の装置において装置間でデータが互いに異なるため容易に利用することができない。技術の状態の通り、知られている同期化のためのプログラムがある。しかしながら、現実実務において、特に異なる製品の装置が使用されるときに、データ同期化に伴う技術的問題が何度も生じる。
【０００６】
国際公開第２００４／０５５６３５Ａ２号パンフレットは、第１のＣＰＵと、第１ＣＰＵと一緒に動作する第１メモリユニットと、オペレーティングシステムとを備えたデータ送信モジュールについて述べている。また、知られているモジュールは、周辺装置との無線データ交換のための送受信ユニットを備えている。ＳＩＭカードは、知られているモジュールにおいて使用されることができる。知られているモジュールを使用することで、例えば、そこに記憶されたデータは、同期化のために送受信ユニットを介して他の周辺装置へ移動されることができる。しかしながら、知られているモジュールでは、移動無線ネットワークとのデータ交換のための接続の確立ができない。
【０００７】
ユーザは、自身が携帯電話ネットワーク等を使用することができる前に、身元を明かさなければならない。これは、特に携帯電話の場合において、ＳＩＭカードのメモリに偽造を防止するように記憶された識別子を送信することによってなされる。特に、パーソナルコンピュータの場合において、ハードディスクドライブに不具合があり、例えば、この情報が交換されなければならいとき、識別子が再び入力されなければならないことを意味するオペレーティングシステムが再びインストールされなければならない。そして、このような場合、ユーザは識別子を間違えたかもしれない。新しい識別子を取得することは、費用と時間がかかる。
【０００８】
国際公開第２００４／００６６００Ａ１号パンフレットは、モデムとして、及び、送信装置における追加機能を備えたモデムの双方として使用することができる無線モジュールを開示している。このために設けられたオペレーティングシステムは、モデムの接続ピンの形状を取り扱う。それ自体では、知られている無線モジュールは、移動無線ネットワークとの無線データ交換のための接続の確立には適していない
【０００９】
従来技術において、カメラを備えた携帯電話が知られている。そのような携帯電話の職場での使用は、産業スパイの機会のきっかけになるので、ビジネスによって次第に禁止されている。この理由のため、従業員は、しばしばカメラを備えていない携帯電話を購入している。終業後に、彼らは、カメラを備えている携帯電話に切り替えている。これは、ＳＩＭカードも交換されるべきであることを意味する。いくつかの携帯電話を所持し、ＳＩＭカードを交換することは、費用と時間がかかる。
【特許文献１】国際公開第２００４／０５５６３５Ａ２号パンフレット
【特許文献２】国際公開第２００４／００６６００Ａ１号パンフレット
【発明の開示】
【発明が解決しようとする課題】
【００１０】
本発明の目的は、従来技術における不利な点が除去された、できるだけ汎用の装置を特定することである。
【課題を解決するための手段】
【００１１】
この目的は、クレーム１，２２，及び３３の特徴によって解決される。本発明の有用な実施形態は、クレーム２乃至２１、２３乃至３２、及び３４の特徴に由来する。
【００１２】
本発明に係るデータ送信モジュールは、
データ送信モジュールであって、
第１中央演算処理装置ＣＰＵ１と、
多層オペレーティングシステムを含み、上記ＣＰＵ１と共に機能する第１メモリユニットと、
複数の送受信ユニットを備えるネットワークと無線データ交換をするための送受信ユニットとを備え、
上記送受信ユニットは、上記ネットワークにおけるユーザの識別のために第２メモリに偽造を防止するように記憶された識別子を要求する特定のデータ送信プロトコルを含み、
さらに、周辺装置への接続のための差込接続の確立に適した第１インタフェースを備える。
【００１３】
本発明においては、「モジュール」は、データ入力装置又はデータ出力装置、例えばキーボード、ディスプレイ等を含まない構成要素を意味する。しかしながら、モジュールは、対応して形成された周辺装置、例えばキーボード又はディスプレイを備えた周辺装置に取り外し可能に接続されることができる。
【００１４】
本発明においては、「多層オペレーティングシステム」は、ユーザに、設定変更、データ入力、データ編集等を許可するオペレーティングシステムを意味する。従って、ユーザインタフェースが設けられ、このユーザインタフェースは、例えば、ユーザフレンドリーなメニューナビゲーションを備える。ユーザインタフェースの利用は、本発明によって提供されるモジュールがディスプレイ及びユーザインタフェース、例えばキーボード等と結合することを要求するだけである。多層オペレーティングシステムは、例えば、携帯電話の分野において従来使用されていたオペレーティングシステムであることができる。
【００１５】
提案されているデータ送信モジュールは、非常に汎用である。そのモジュールは、例えば、キーボード、ディスプレイ、マイクロホン、ラウドスピーカ、及び電源装置を供えただけの簡素で安価なハウジングと結合して、携帯電話として使用されるのに適している。提案されたモジュールにおいて設けられた多層オペレーティングシステムは、個人データの入力、変更、又は削除と同様、携帯電話の従来の動作を可能にする。個人データは、モジュールの第１メモリユニットによって永久に記憶される。
【００１６】
モジュールは、また、他の周辺装置と結合されることができる。例えば、パーソナルコンピュータをデータ送受信に使用できるように、モジュールは、パーソナルコンピュータと結合されることができる。これは、例えば、インターネットとの接続を確立するための簡素な方法を提供する。
【００１７】
モジュールは、周辺装置との接続がされていなくても、単独でデータを受信し、送信することができる。そのような手段は、周辺装置との接続によって後で認識されることができる。
【００１８】
さらに、モジュール、特に送受信ユニットは、ネットワーク、例えば移動無線ネットワークにおけるユーザ識別子を要求するデータ送信プロトコルを備えている。第２メモリユニットに偽造を防止するように記憶された識別子を読み出す手段は、このために設けられることができる。識別子と協働して、データ送信プロトコルは、ネットワークへの接続の確立と、データ交換とを可能にする。第２メモリユニットに偽造を防止するように記憶された識別子を読み出す手段は、識別子を読み出すプログラムであり、データ送信プロトコルと協働して、データ交換のためにネットワークとの接続を確立する。
【００１９】
有利な実施形態によれば、モジュールは第２メモリユニットを含む。ユーザ識別のためのデータは、第１メモリユニットに実際に記憶されることができる。しかしながら、特別の第２メモリユニットがこのために設けられているとき、それは有用である。第２メモリユニットは、モジュールに取り外し可能に接続されることができる。第２メモリユニットの接続のための第２インタフェースは、このために設けることができる。この場合、第２メモリユニットは、第２インタフェースに対応する第３インタフェースを備える。第２メモリユニットは、特に、ＳＩＭカードを有する第２インタフェースに対応する第３インタフェースの一部であることができる。この場合、第２インタフェースが、ＳＩＭカードを保持するための第１保持装置を備えることが有用である。第１保持装置は、ＳＩＭカードを保持する手段を有することができる。
【００２０】
ＳＩＭカードは、少なくとも「加入者識別モジュール」又はユーザ識別モジュールを有するカードを意味する。ユーザ識別モジュールは、ネットワークオペレータのためのユーザ識別データが記憶されるマイクロチップを備える。記憶されたデータは、音声又はデータ送信を暗号化するために使用されることができる。これに加えて、電話番号等のような個人データは、マイクロチップに記憶することができる。ＳＩＭカードに代えて、例えば汎用加入者識別モジュール標準（ＵＳＩＭ標準）を支持する汎用ＩＣカード（ＵＩＣＣ）が使用されることができる。この標準は、ＳＩＭカード上のいくつかのユーザ識別モジュールの結合を可能にする。
【００２１】
第２インタフェースは、ＳＩＭカードを保持するために、第１保持装置に効果的に設けられる。第１保持装置は、ＳＩＭカードをセットするための開口部であることができ、又は、ＳＩＭカードを挿入するためのスリットであることができる。第１保持装置は、ＳＩＭカードの保持手段を有することができる。これは、キャッチ装置、可動バー、錠等であることができる。いくつかの第１保持装置を、ＳＩＭカードをそれぞれ保持するために設けることができる。いくつかのＳＩＭカードの提供は、例えば、種々のデータ送信ネットワーク、特に移動無線ネットワークへのアクセスを可能にする。
【００２２】
有利な実施形態によれば、多層オペレーティングシステムは、第１インタフェースに接続される周辺装置との接続を確立するための少なくとも１つのドライバプログラムを有する１つの層を備える。いくつかのドライバプログラムは、その層に有効に設けられる。ドライバプログラムは、第１インタフェースを介して、例えばディスプレイ、キーボード等に接続される周辺装置とのデータ交換を可能にする。必要であれば、適したドライバプログラムが、遡及的にインストールされることができ、又は、例えば無線データ交換通信を通じてインターネットからプロバイダを介してダウンロードすることができる。さらなる実施形態によれば、多層オペレーティングシステムは、少なくとも１つのアプリケーションプログラムを有するさらなる層を備える。複数のアプリケーションプログラムからアプリケーションプログラムを選択するためのメニューナビゲーションが設けられたとき、それは有用である。さらに、特にラウドスピーカ、マイクロホン、モニタスクリーン、キーボード、マウス、プリンタ、インタフェース、及び他の周辺装置のためのアプリケーションカーネルが設けられる。
【００２３】
データ送信プロトコルは、例えば、ＵＭＴＳ，ＧＳＭ，Ｂｌｕｅｔｏｏｔｈ，Ｗ−ＬＡＮ，ＩＲ，ＡＭＰＳ，ＮＭＴ，ＨＳＣＳＤ，ＧＰＲＳ，ＥＤＧＥ等のような標準プロトコルである。もちろん、送受信ユニットはいくつかのデータ送信プロトコルを備えることが可能である。この場合、特に汎用データ送信が可能である。例えば、モジュール又は送受信ユニットが以下のデータ送信プロトコルの組み合わせを備える。
ＵＭＴＳ，ＧＳＭ、
ＵＭＴＳ，Ｂｌｕｅｔｏｏｔｈ、
ＵＭＴＳ，Ｂｌｕｅｔｏｏｔｈ，Ｗ−ＬＡＮ，ＩＲ
【００２４】
「ＵＭＴＳ」は、ユニバーサル・モバイル・テレコミュニケーション・システムを意味する。それは、データ送信速度を２ビット／秒（Ｍｂｓ）に上げることが可能な第３世代移動体通信技術（３Ｇ）である。
【００２５】
「ＧＳＭ」（Ｇｌｏｂａｌ  Ｓｙｓｔｅｍ  ｆｏｒ  Ｍｏｂｉｌｅ  Ｃｏｍｍｕｎｉｃａｔｉｏｎ）は、グローバル・システム・フォー・モバイル・コミュニケーションを意味する。それは、デジタル通信の支配的な２Ｇ標準である。このシステムは、送信機／受信機のランド・サポート・ネットワークを介して携帯電話が互いにどのように通信するかを決定する。
【００２６】
「Ｂｌｕｅｔｏｏｔｈ」は、小さい範囲でケーブル・フリー・ネットワークを構築するための技術を意味する。特に、マイクロホン、プリンタ、ラウドスピーカ等のようなケーブル・フリーの周辺装置は、これでデータ処理ユニットに接続されることができる。
【００２７】
「Ｗ−ＬＡＮ」（Ｗｉｒｅｌｅｓｓ  Ｌｏｃａｌ  Ａｒｅａ  Ｎｅｔｗｏｒｋ）は、無線ローカル・エリア・ネットワークを意味する。Ｗ−ＬＡＮ技術は、ラップトップ、携帯電話、ＰＤＡ等のようなモバイル・データ・デバイス間での高速データ通信を、いわゆるワイ・ファイ・アクセス・ポイント周辺の狭い範囲で提供する。ワイ・ファイ・アクセス・ポイントは、ケーブル接続ネットワークと接続された特別のハードウェアである。
【００２８】
「ＡＭＰＳ」（Ａｄｖａｎｃｅｄ  Ｍｏｂｉｌｅ  Ｐｈｏｎｅ  Ｓｅｒｖｉｃｅ）は、８００−９００メガヘルツの周波数帯で動作する１Ｇ標準を意味する。
【００２９】
「ＮＭＴ」（Ｎｏｒｄｉｃ  Ｍｏｂｉｌｅ  Ｔｅｌｅｐｈｏｎｅ）は、４５０メガヘルツ帯及び９００メガヘルツ帯で動作する最古の１Ｇ標準である。
【００３０】
「ＨＳＣＳＤ」（Ｈｉｇｈ  Ｓｐｅｅｄ  Ｃｉｒｃｕｉｔ  Ｓｗｉｔｃｈｅｄ  Ｄａｔａ）は、１つのチャネルでデータ送信が１４．４Ｋｂｐｓに上がるＧＳＭのためのデータ送信技術を意味する。いくつかのチャネルが共に接続することにより、データ送信速度が５７．６Ｋｂｐｓまで増加する。
【００３１】
「ＧＰＲＳ」（Ｇｅｎｅｒａｌ  Ｐａｋｅｔ  Ｒａｄｉｏ  Ｓｅｒｖｉｃｅ）は、パケット交換プロトコルを用いるＧＳＭネットワークのための無線技術を意味する。
【００３２】
「ＥＤＧＥ」（Ｅｎｈａｎｃｅｄ  Ｄａｔａ  Ｒａｔｅｓ  ｆｏｒ  ＧＳＭ  Ｅｖｏｌｕｔｉｏｎ）は、ＧＳＭネットワークにおけるネットワーク容量及びデータ速度が増加することができる改良された変調技術を意味する。
【００３３】
提案されたモジュールは、送受信ユニットを介したネットワークへのコンタクトの確立と、そのネットワークとのデータ交換を可能にする。
【００３４】
有利な実施形態によれば、第１取り付け装置が、第１メモリユニットの取り外し可能な取り付けのために設けられる。同様に、第２取り付け装置が、送受信ユニットの取り外し可能な取り付けのために設けられる。上記取り付け装置は、第１メモリユニット又は送受信ユニットを提供するチップを保持するための従来のベースであることができる。そのようなチップを交換することにより、ユーザは新しい要求にモジュールを容易に適合させることができる。
【００３５】
さらなる実施形態によれば、送受信ユニットは、第２中央演算処理装置ＣＰＵ２を備える。これは、特に速いデータ交換を高速で可能にする。これの他に、データは特に速やかに暗号化されることができる。
【００３６】
さらなる実施形態によれば、ＣＰＵ１、第１メモリユニット、必要ならば、第２メモリユニット、及び送受信ユニットが、ポリマーで成型される。これは、提案されたモジュールを特に頑丈にする。これは、モジュールを水分及び衝撃等に対して特に抵抗させる。モジュールは一体に形成されることができる。言い換えれば、それはコンパクトな構成要素を示し、ＳＩＭカードの保持が可能な手段を除いて、他の要素は取り付け手段によって取り付けられない。モジュールが、長さ及び幅の最大値が６ｃｍで高さの最大値が１ｃｍの直平行６面体形状に形成されたとき、それは有用であると思われる。これは、多種多様な周辺装置とモジュールの自在な組み合わせを可能にする。
【００３７】
モジュールは一体に形成される限りにおいて、電磁波から保護するコーティングを少なくとも外側部分に備えることができる。これは、モジュールが干渉なしに動作することを可能にする。それは、特に電磁干渉に対する抵抗性である。
【００３８】
さらなる実施形態によれば、電源ユニットを設けることができる。電源ユニットは、バッテリ又は再充電可能なバッテリを備えることができる。これは、周辺装置への接続なしでもモジュールの能動動作を可能にする。この場合、モジュールはデータを単独で受信し又は送信することができる。この目的のために、モジュールはアンテナを備えることが有益である。
【００３９】
さらなる有利な実施形態によれば、第１インタフェースは、プラグコネクタの形に形成される。プラグコネクタは、周辺装置への接続のための隣接した接点の列である。
【００４０】
本発明の提供によれば、周辺装置は、本発明によって提供されるモジュールとの差込接続を確立するための第１インタフェースに対応する第４インタフェースを備える。周辺装置は、第４インタフェースを介してモジュールとのデータ交換を可能にする。モジュールは、周辺装置の一部であることができる。
【００４１】
実施形態によれば、第４インタフェースは、モジュールを保持するための第２保持装置に設けられる。第２保持装置は、モジュールの挿入のための凹所又はスロットの形の開口部であることができる。
【００４２】
さらなる実施形態によれば、第２保持装置は、プラグ接続部に対応して形成される。言い換えれば、保持装置は、モジュールの形に対応しており、モジュールを第４インタフェースとの正しい接続位置にガイドするために、例えば、溝、隆条、ランナー等を有する。この場合、モジュールはその大部分が第２保持装置に確実に保持される。さらなる実施形態によれば、第２保持装置は、モジュールを保持する手段を備える。これは、ロック機構又はキャッチ機構、及び／又は、挿入スロットからモジュールを取り出すための装置であることができる。
【００４３】
周辺装置は、さらに電源ユニットを有することが有益である。これは、バッテリ、又は再充電可能なバッテリ、またパワーパッケージとすることができる。また、周辺装置は、さらにアンテナを備えることができる。さらに、周辺装置は、ユーザインタフェースを有するハウジングを備えることができる。ユーザインタフェースは、例えばスティックで記録又はタッチすることにより機能又は入力するキーパッド又はタッチディスプレイであることができる。ハウジングは、好ましくは、スイベル式ディスプレイである。
【００４４】
特に有利な実施形態によれば、ハウジングは、携帯電話のような形状である。この場合、ハウジングは、キーパッド、ディスプレイ、マイクロホン、ラウドスピーカ、及び電源装置を備えることができる。
【００４５】
その一方、携帯電話の他の全ての構成要素は、本発明によって提供されるモジュールに結合される。そのモジュールは、ハウジングの中に単純に挿入されることにより、携帯電話に結合される。このように、比較的安価なハウジングが携帯電話のために設けられる。これらのハウジングは、大きな労力なしに、携帯電話における本発明のモジュールと結合されることができる。これは、本発明のモジュールが、強力で高価な送受信装置、例えばＵＭＴＳ送受信装置を備える場合に、特に有利である。この場合、本発明のモジュールは携帯電話に結合されることができる。しかしながら、例えば、インターネット又は他のデータネットワークへのラップトップ・コンピュータの接続のためのモジュールを使用することが可能である。
【００４６】
モジュールに記憶された個人データは、もはや同期されてはならない。モジュールは汎用であり、データの送受信のためのポピュラーな装置を使用することができる。この範囲に対し、周辺装置はモニタであることが可能である。モニタに対してキーボードを接続することで、データが送受信されることができる。特に、インターネットとの通信が可能である。
【００４７】
特に有利なさらなる実施形態によれば、モジュールは、キーボード及び／又はマウスの接続のための従来のソケットを備える。モニタとの結合において、これは、モジュールに設けられた多層オペレーティングシステムの制御を容易且つ便利にする。
【００４８】
モジュールは、例えばモニタにモジュールを結合するためのＶＧＡインタフェースを備えることができる。同様に、モジュールは、例えば他の周辺装置との結合のためのＩＲインタフェース等、適したインタフェースを備えることができる。
【００４９】
また、第１インタフェースに対応する第４インタフェースとモジュールの接続のためのアダプタが設けられることができる。さらに、そのアダプタは、第８インタフェースにモジュールを接続するための第７インタフェースを有しており、その第８インタフェースは、周辺装置の上記第７インタフェースに対応する。第８インタフェースは、標準インタフェースであることができ、例えばＰＣＭＣＩＡ又はＵＳＢインタフェースである。これは、従来のインタフェースを介して周辺装置とモジュールの通信を可能にする。
【００５０】
実施例は、本発明の実施形態を図面に基づいてより詳細に記述するために用いられる。
【発明を実施するための最良の形態】
【００５１】
図１は、本発明によって提供されるモジュールの一例を図式的に示す。モジュールは、中央演算処理装置（ＣＰＵ１）と、データを無線送受信するための送受信ユニット２と、第１メモリユニット３と、例えばＳＩＭカード７の一部であることができる第２メモリユニット５を含むＳＩＭユニット４とを備えている。さらに、第１インタフェース６が設けられる。
【００５２】
多層オペレーティングシステムは、第１メモリユニット３に保存されている。特に図２に示されるように、多層オペレーティングシステムは、いくつかの層Ｓ１、Ｓ２、及びＳ３を有している。第１層Ｓ１は、ハードウェアコンポーネントの制御のためのオペレーティングシステムである。第２層Ｓ２は、通常はユーザにアクセス可能でないサービスレベルである。それは、使用される各ハードウェアコンポーネントへのオペレーティングシステムの適合を可能にする。第３層Ｓ３は、ユーザがデータ及びオペレーティングシステムの設定を入力、削除、又は変更することができるユーザインタフェースを提供する。ユーザインタフェースは、通常、ユーザによる取り扱いを容易にするメニューナビゲーションを有している。
【００５３】
図３ａ及び３ｂは、モジュールの第１実施形態の斜視図を示す。第２メモリユニット５は、ＳＩＭカード７に設けられている。モジュールは、ＳＩＭカード７の形に対応する開口部８を有している。開口部８は、ＳＩＭカード７に対応する第３インタフェース１０の接続のための第２インタフェース９を含む。特に図３ｂとの組み合わせ図に示されるように、ＳＩＭカード７は、可動バー１１で開口部８に保持される。
【００５４】
モジュールは、最大高さ１ｃｍの平らな直平行６面体形状を有している。ガイド溝１２は、長手サイドに設けられている。特に図４の組み合わせ図において明瞭に示されるように、送受信ユニット２又は第１メモリユニットを含むカードの挿入のための第１スロット１３が前面に沿って延びている。参照番号１４で示される第５インタフェースは、参照番号１５で示され第１スロット１３内に設けられた第６インタフェースに対応して形成される。例えば、送受信ユニット２の交換はカードで提供されるので、本発明によって提供されるモジュールは、ユーザの各ニーズに速やかに且つ容易に適合することができる。例えば、カードは、ＵＭＴＳ，ＧＳＭ，ブルートゥース、又は同様の送受信ユニット２を備えることができる。
【００５５】
図４に示される第２例において、第２メモリユニット５は、ＳＩＭカード７の一部ではない。それは、モジュールにおいて統合される。
【００５６】
図５は、第１周辺装置、すなわち携帯電話のハウジング１６の斜視図を示す。ハウジング１６は、ディスプレイ１７と、キーパッド１８と、ラウドスピーカ１９と、マイクロホン２０と、モジュールの外形に対応する形状の第２スロット２１とを備えている。第２スロット２１は、特にガイド溝１２に対応するガイドレール２２を有する。第２スロット２１は、第１インタフェース６に対応する第２インタフェース９（ここでは図示しない）を含む。モジュールが第２スロット２１に完全に挿入されたとき、第１インタフェース６と第２インタフェース９の接触の間で電気的接続が確立される。スロット２１内にモジュールを保持するために、ここでは詳細に示されないキャッチ機構又はロッキング機構を設けることができる。
【００５７】
図６は、第２周辺装置の斜視図を示す。これは、キーパッド１８及びディスプレイ１７を有するＰＤＡである。ここでも、図５に示した第１周辺装置の第２スロット２１と同様に第２スロット２１が形成される。
【００５８】
図７は、第３周辺装置、すなわち携帯用コンピュータ又はラップトップコンピュータの斜視図を示す。そのようなコンピュータに通常設けられるインタフェース、例えばＰＣＭＣＩＡインタフェースは、本発明によって設けられるモジュールを適切な第１アダプタ２４を介して保持するために使用されることができる。第１アダプタ２４は代わりに第２スロット２１と、ガイドレール２２と、第２インタフェース９（ここでは図示せず）を有する。また、第１アダプタ２４は、第３スロット２３に対応して設けられたＰＣＭＣＩＡインタフェースの第８インタフェースに接続することができる第７インタフェース（ここでは図示せず）を有する。
【００５９】
図８に示されるように、本発明によって設けられるモジュールは、また、例えばＵＳＢインタフェースと接続することができる。プラグコネクタ２６を有し適切に形成された第２アダプタ２５は、ＵＳＢインタフェースへの接続のために設けられる。
【００６０】
上記各例に示されるように、提案されたモジュールは、多種多様の周辺装置と一緒に汎用的に機能することができる。それは、データの無線送受信機能を周辺装置に与えるだけでなく、多層オペレーティングシステムを提供し、とりわけ制御装置を有効にする。ユーザによるモジュールの制御は、モジュールがユーザインタフェース、例えばキーパッド１８及びディスプレイ１７と結合されることを要求するだけである。
【００６１】
モジュールは、再充電可能な電源ユニットを備えることができる。電源装置を再充電するために、バッテリ充電装置のための適切な接続が設けられることができる。この他に、モジュールは、キーボード及びマウスのための接続が設けられることができる。この場合、モジュールは、例えば、さらなる周辺装置として設けられた平面モニタスクリーンと結合されることができる。そして、キーボード及び／又はマウスが接続されるとき、モジュールと周辺装置の接続は制御されることができる。
【００６２】
モジュールが電源装置を備えている範囲に対し、モジュールは、また、周辺装置への接続なしに、単独でデータを送受信することができる。従って、モジュールは、例えばＳＭＳメッセージ、ボイスメッセージ等を受信し、記憶することができる。同様に、モジュールは、ユーザの体の機能をモニタするための適切なセンサとの結合において使用されることができると考えられる。いくつかの体の機能が特定の重篤な値に達している場合には、例えば、適切なアラームが示される遠隔受信ユニットに対してデータが自動的に送信されることができる。これは、モジュールを持ち運ぶユーザの弱い体の状態を認識するために使用されることができる。ＧＰＳ送受信ユニット２との組み合わせにおいて、助けが速やかに提供されるように、ユーザの位置が決定されることができる。
【図面の簡単な説明】
【００６３】
【図１】モジュールの構成要素を示す図
【図２】多層オペレーティングシステムを示す図
【図３】モジュールの第１実施形態
【図４】モジュールの第２実施形態
【図５】携帯電話と結合する、図４のモジュール
【図６】ＰＤＡと結合する、図４のモジュール
【図７】第１アダプタ及び携帯用コンピュータと結合する、図４のモジュール
【図８】第２アダプタと結合する、図４のモジュール
【符号の説明】
【００６４】
１    中央演算処理装置  ＣＰＵ１
２    送受信ユニット
３    第１メモリユニット
４    ＳＩＭユニット
５    第２メモリユニット
６    第１インタフェース
７    ＳＩＭカード
８    開口部
９    第２インタフェース
１０    第３インタフェース
１１    バー
１２    ガイド溝
１３    第１スロット
１４    第５インタフェース
１５    第６インタフェース
１６    ハウジング
１７    ディスプレイ
１８    キーパッド
１９    ラウドスピーカ
２０    マイクロホン
２１    第２スロット
２２    ガイドレール
２３    第３スロット
２４    第１アダプタ
２５    第２アダプタ
２６    プラグコネクタ
Ｓ１    オペレーティングシステムの第１層
Ｓ２    オペレーティングシステムの第２層
Ｓ３    オペレーティングシステムの第３層
【図１】
2008524945.tif 000003
【図２】
2008524945.tif 000004
【図３ａ】
2008524945.tif 000005
【図３ｂ】
2008524945.tif 000006
【図４】
2008524945.tif 000007
【図５】
2008524945.tif 000008
【図６】
2008524945.tif 000009
【図７】
2008524945.tif 000010
【図８】
2008524945.tif 000011
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
データ送信モジュールであって、
第１中央演算処理装置ＣＰＵ１（１）と、
多層オペレーティングシステム（Ｓ１，Ｓ２，Ｓ３）を含み、前記ＣＰＵ１（１）と共に機能する第１メモリユニット（３）と、
前記第１メモリユニット（３）を取り外し可能に取り付けるための第１取り付け装置と、
複数の送受信ユニットを備えるネットワークと単独で無線データ交換をするための、アンテナ及び送受信ユニット（２）とを備え、
前記送受信ユニット（２）は、前記ネットワークにおけるユーザの識別のために偽造を防止するように第２メモリユニット（５）に記憶された識別子を要求する特定のデータ送信プロトコルを含み、
さらに、電源ユニットと、
周辺装置への接続のためのプラグ接続の確立に適した第１インタフェース（６）とを備える、データ送信モジュール。
【請求項２】
前記第２メモリユニット（５）を含むことを特徴とする、請求項１に記載のモジュール。
【請求項３】
前記第２メモリユニット（５）の接続のために、第２インタフェース（９）が設けられていることを特徴とする、請求項１又は２に記載のモジュール。
【請求項４】
前記第２メモリユニット（５）は、前記第２インタフェース（９）に対応する第３インタフェースを有するＳＩＭカード（７）の一部であることを特徴とする、請求項１乃至３いずれかに記載のモジュール。
【請求項５】
前記第２インタフェース（９）は、前記ＳＩＭカード（７）を保持するための第１保持装置（８）に設けられていることを特徴とする、請求項１乃至４いずれかに記載のモジュール。
【請求項６】
前記第１保持装置（９）は、前記ＳＩＭカード（７）を保持する手段（１１）を有することを特徴とする、請求項１乃至５いずれかに記載のモジュール。
【請求項７】
前記多層オペレーティングシステムは、前記第１インタフェースに接続される周辺装置との接続を確立するための少なくとも１つのドライバプログラムを有する１つの層を備えることを特徴とする、請求項１乃至６いずれかに記載のモジュール。
【請求項８】
前記多層オペレーティングシステムは、少なくとも１つのアプリケーションプログラムを有するもう一つの層を備えることを特徴とする、請求項１乃至７いずれかに記載のモジュール。
【請求項９】
複数のアプリケーションプログラムからアプリケーションプログラムの選択をするためのメニューナビゲーションが設けられていることを特徴とする、請求項１乃至８いずれかに記載のモジュール。
【請求項１０】
前記データ送信プロトコルは、以下のグループ：ＵＭＴＳ，ＧＳＭ，Ｂｌｕｅｔｏｏｔｈ，Ｗ−ＬＡＮ，ＩＲ，ＡＭＰＳ，ＮＭＴ，ＨＳＣＳＤ，ＧＰＲＳ，ＥＤＧＥから選択された標準プロトコルに対応することを特徴とする、請求項１乃至９いずれかに記載のモジュール。
【請求項１１】
前記送受信ユニット（２）を取り外し可能に取り付けるための第２取り付け装置が設けられていることを特徴とする、請求項１乃至１０いずれかに記載のモジュール。
【請求項１２】
前記送受信ユニット（２）は、第２中央演算処理装置ＣＰＵ２を備えることを特徴とする、請求項１乃至１１いずれかに記載のモジュール。
【請求項１３】
前記ＣＰＵ１（１）、第１メモリユニット（３）、必要ならば第２メモリユニット（５）、及び送受信ユニット（２）がポリマーで成型されていることを特徴とする、請求項１乃至１２いずれかに記載のモジュール。
【請求項１４】
幅の最大値が６ｃｍ、高さの最大値が１ｃｍである直平行６面体の形に形成されていることを特徴とする、請求項１乃至１３いずれかに記載のモジュール。
【請求項１５】
前記モジュールは、少なくとも外側部分に電磁波を遮断するためのコーティングが施されていることを特徴とする、請求項１乃至１４いずれかに記載のモジュール。
【請求項１６】
一体に成形されていることを特徴とする、請求項１乃至１５いずれかに記載のモジュール。
【請求項１７】
前記電源装置が、バッテリ又は再充電可能なバッテリを備えていることを特徴とする、請求項１乃至１６いずれかに記載のモジュール。
【請求項１８】
前記第１インタフェース（６）がプラグコネクタ（２６）の形に成形されていることを特徴とする、請求項１乃至１７いずれかに記載のモジュール。
【請求項１９】
請求項１乃至１８いずれかに記載のモジュールとの差込接続を確立するための第１インタフェース（６）に対応する第４インタフェースを備えた周辺装置。
【請求項２０】
前記モジュールを保持するための第２保持装置（２１）に第４インタフェースが設けられていることを特徴とする、請求項１９に記載の周辺装置。
【請求項２１】
前記第２保持装置（２１）が、前記プラグコネクタ（２６）に対応して形成されていることを特徴とする、請求項２０に記載の周辺装置。
【請求項２２】
前記第２保持装置（２１）が、前記モジュールを保持する手段を有することを特徴とする、請求項２０又は２１に記載の周辺装置。
【請求項２３】
さらに電源装置を有することを特徴とする、請求項１９乃至２３いずれかに記載の周辺装置。
【請求項２４】
前記電源装置は、バッテリ又は再充電可能なバッテリを備えていることを特徴とする、請求項２３に記載の周辺装置。
【請求項２５】
さらにアンテナを有することを特徴とする、請求項１９乃至２４いずれかに記載の周辺装置。
【請求項２６】
ハウジング（１６）を有することを特徴とする、請求項１９乃至２５いずれかに記載の周辺装置。
【請求項２７】
前記ハウジング（１６）に好ましくはスイベルディスプレイ（１７）及び／又はユーザインタフェース（１８）が設けられていることを特徴とする、請求項２６に記載の周辺装置。
【請求項２８】
前記ハウジング（１６）が、携帯電話のように形成されていることを特徴とする、請求項２６又は２７に記載の周辺装置。
【請求項２９】
前記周辺装置は、コンピュータ又はモニタであることを特徴とする、請求項１９乃至２８いずれかに記載の周辺装置。
【請求項３０】
前記第１インタフェース（６）に対応する第４インタフェースと、請求項１乃至２０いずれかに記載のモジュールを第８インタフェースに接続するためのプラグコネクタとして形成された第７インタフェース（２６）とを備え、前記第８インタフェースは、周辺装置（１６，１８）の第７インタフェース（２６）に対応している、アダプタ。
【請求項３１】
前記第８インタフェースは、ＰＣＭＣＩＡ又はＵＳＢインタフェースであることを特徴とする、請求項３０に記載のアダプタ。
【国際調査報告】
2008524945.tif 000012
2008524945.tif 000013
2008524945.tif 000014
2008524945.tif 000015
2008524945.tif 000016
2008524945.tif 000017